(57)【要約】【課題】第１管継手、第２管継手を床上（スラブの上側）排水横枝管、天井裏（スラブの下側）排水横枝管に対して適正な高さ位置に配置できるようにして、その床上及び天井裏排水横枝管を適正勾配で配管できるようにする。【解決手段】本発明に係る排水設備の配管接続構造は、排水立て管１２として使用され、第１管継手２０と第２管継手３０との間に配管される構成の上部分割管１２ｓを備えており、上部分割管１２ｓは、コンクリートスラブＣＳの貫通孔Ｈに通された状態で、上部受け口１２ｕの上端面がコンクリートスラブＣＳの床面にほぼ等しい高さになるように位置決めされており、上部分割管１２ｓの上部受け口１２ｕに第１管継手２０の下端部２７が挿入されることで、その上部分割管１２ｓと第１管継手２０とが軸方向に相対変位可能な状態で接続され、コンクリートスラブＣＳの下側に突出した上部分割管１２ｓの下端部が第２管継手３０に接続されている。【選択図】      図１
2005023675.tif 000002
【特許請求の範囲】
【請求項１】
建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続構造であって、
前記排水立て管として使用され、前記第１管継手と第２管継手との間に配管される構成の上部分割管を備えており、
前記上部分割管は、前記コンクリートスラブの貫通孔に通された状態で、上部受け口の上端面がコンクリートスラブの床面にほぼ等しい高さになるように位置決めされており、
前記上部分割管の上部受け口に前記第１管継手の下端部が挿入されることで、その上部分割管と前記第１管継手とが軸方向に相対距離調節可能な状態で接続され、
前記コンクリートスラブの下側に突出した前記上部分割管の下端部が前記第２管継手に接続されていることを特徴とする排水設備の配管接続構造。
【請求項２】
請求項１に記載の排水設備の配管接続構造であって、
上部分割管の下端部が第２管継手の上部受け口に挿入されることで、その上部分割管と前記第２管継手とが軸方向に相対距離調節可能な状態で接続されていることを特徴とする排水設備の配管接続構造。
【請求項３】
請求項１又は請求項２のいずれかに記載の排水設備の配管接続構造であって、
上部分割管に対して第１管継手及び／又は第２管継手が軸心回りに回動可能に構成されていることを特徴とする排水設備の配管接続構造。
【請求項４】
請求項１に記載の排水設備の配管接続構造であって、
上部分割管と第２管継手とが軸方向に相対距離調節不能かつ相対回転不能な状態に保持されていることを特徴とする排水設備の配管接続構造。
【請求項５】
建物の上下方向に延びる雑排水、汚水兼用の排水立て管と、その建物の上階と下階とを仕切るコンクリートスラブの床上に配管され、第１管継手によって前記排水立て管に接続される床上排水横枝管とを備える排水設備の配管接続構造であって、
上階のコンクリートスラブと下階のコンクリートスラブとの間に位置する排水立て管は、直列に接続された複数本の分割立て管から構成されており、
最も上に位置する分割立て管である上部分割管は、前記上階のコンクリートスラブの貫通孔に通された状態で、上部受け口の上端面が前記コンクリートスラブの床面にほぼ等しい高さになるように位置決めされており、
前記上部分割管の上部受け口に前記第１管継手の下端部が挿入されることで、その上部分割管と前記第１管継手とが軸方向に相対距離調節可能な状態で接続されていることを特徴とする排水設備の配管接続構造。
【請求項６】
建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続方法であって、
前記排水立て管を構成する上部分割管を前記コンクリートスラブの厚み寸法及び／又は天井裏排水横枝管の芯高さ寸法に合わせて裁断する工程と、
前記排水立て管の上部分割管の下端部を軸方向に相対距離調節可能な状態で第２管継手の上部受け口に接続し、前記排水立て管を構成する分割立て管の一本を軸方向に相対距離調節可能な状態で第２管継手の下部受け口に接続する工程と、
前記上部分割管をコンクリートスラブの貫通孔に通し、その上部分割管の上部受け口の上端面が上階の前記コンクリートスラブの床面とほぼ等しい高さになるように、かつ、前記第２管継手の横枝管受け口が天井裏排水横枝管を受けられる高さになるように位置決めした状態で、その第２管継手の下部受け口に接続された前記分割立て管を下階において既に設置済みの分割立て管と接続する工程と、
前記上部分割管の上部受け口に上階の第１管継手の下端部を挿入して、その上部分割管と前記第１管継手とを軸方向に相対距離調節可能な状態で接続する工程と、
を有することを特徴とする排水設備の配管接続方法。
【請求項７】
建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続方法であって、
前記排水立て管を構成する上部分割管を前記コンクリートスラブの厚み寸法及び／又は天井裏排水横枝管の芯高さ寸法に合わせて裁断する工程と、
前記排水立て管の上部分割管の下端部を軸方向に相対距離調節可能な状態で第２管継手の上部受け口に接続する工程と、
前記上部分割管をコンクリートスラブの貫通孔に通し、その上部分割管の上部受け口の上端面が上階の前記コンクリートスラブの床面とほぼ等しい高さになるように、かつ、前記第２管継手の横枝管受け口が天井裏排水横枝管を受けられる高さになるように位置決めした状態で、その第２管継手の下部受け口を下階において既に設置済みの排水立て管の分割立て管に接続する工程と、
前記上部分割管の上部受け口に上階の第１管継手の下端部を挿入して、その上部分割管と前記第１管継手とを軸方向に相対距離調節可能な状態で接続する工程と、
を有することを特徴とする排水設備の配管接続方法。
【発明の詳細な説明】
【０００１】
【発明の属する技術分野】
本発明は、マンションやオフィスビル等の建物における排水設備の配管接続構造及び配管接続方法に関する。
【０００２】
【従来の技術】
マンション等の集合住宅における従来の排水設備の一例が図１０に示されている。前記排水設備９０は、集合住宅の上下方向に延びる雑排水用の排水立て管９２と汚水用の排水立て管９４とを備えている。雑排水用の排水立て管９２には、台所や洗面所からの雑排水がコンクリートスラブＣＳの床上に配管された床上排水横枝管（図示されていない）によって導かれる。前記床上排水横枝管はコンクリートスラブＣＳの床上に設けられた第１管継手９５によって排水立て管９２に接続される。また、排水立て管９２には、浴室からの雑排水がコンクリートスラブＣＳの下側に配管された天井裏排水横枝管９３によって導かれる。天井裏排水横枝管９３はコンクリートスラブＣＳの下側に設けられた第２管継手９６によって排水立て管９２に接続される。
汚水用の排水立て管９４には、トイレからの汚水がコンクリートスラブＣＳの床上に配管された汚水用の床上排水横枝管９７によって導かれる。床上排水横枝管９７はコンクリートスラブＣＳの床上に設けられた第３管継手９８によって排水立て管９４に接続される。
【０００３】
図９は、上記した排水設備９０をリフォームした後の状態を表す側面図である。雑排水用の床上排水横枝管（図示省略）と汚水用の床上排水横枝管９７とをコンクリートスラブＣＳの上側で一本の排水立て管９２に接続する必要から特殊排水管継手８０が使用されている。
特殊排水管継手８０は、特許文献１に記載されている排水管継手と基本的に同じ構成であり、胴部８１の上部側面に汚水用の床上排水横枝管９７が接続される上部横枝管受け口８２が形成されている。また、胴部８１の側面には、上部横枝管受け口８２の下側で約９０°回転した位置に、雑排水用の床上排水横枝管が接続される下部横枝管受け口８４が形成されている。特殊排水管継手８０の胴部８１は、雑排水と汚水との合流がスムーズに行われるように、排水立て管９２の径寸法よりも大径に形成されている。また、胴部８１の下側には下細に形成されたテーパ部８３が設けられており、そのテーパ部８３の下側に排水立て管９２と等しい外径寸法の下端部８５が形成されている。特殊排水管継手８０のテーパ部８３はコンクリートスラブＣＳの貫通孔Ｈに通されており、その貫通孔Ｈから突出した特殊排水管継手８０の下端部８５が第２管継手９６の上部受け口９６ｕに挿入接続されている。
【０００４】
【特許文献１】
特開２０００―０６４３７９号公報
【０００５】
【発明が解決しようとする課題】
しかし、上記した特殊排水管継手８０を使用する方法では、コンクリートスラブＣＳの厚み寸法によって、そのコンクリートスラブＣＳから下方に突出する特殊排水管継手８０の下端部８５の長さ寸法が変化するようになる。例えば、コンクリートスラブＣＳの厚み寸法が大きい場合には、特殊排水管継手８０の下端部８５の突出寸法が小さくなり、その下端部８５に接続される第２管継手９６は天井板Ｔに対して高い位置に位置決めされる。逆に、コンクリートスラブＣＳの厚み寸法が小さい場合には、特殊排水管継手８０の下端部８５の突出寸法が大きくなり、第２管継手９６は天井板Ｔに対して低い位置に位置決めされる。このため、第２管継手９６を天井裏排水横枝管９３に対して適正な位置に位置決めするのが難しく、天井裏排水横枝管９３を適正な勾配で配管するのが困難という問題がある。
この問題を解決するために、コンクリートスラブＣＳの厚み寸法に合わせて特殊排水管継手８０の長さ寸法を調整する方法も考えられるが、このようにすると特殊排水管継手８０の量産が不可能になるため、特殊排水管継手８０が高価になり、現実的ではない。
本発明は、上記した問題点を解決するためになされたものであり、本発明が解決しようとする課題は、第１管継手（特殊排水管継手）と第２管継手とを高さ方向における適正位置に容易に位置決めできるようにし、床上排水横枝管及び天井裏排水横枝管を適正勾配で配管できるようにすることである。
【０００６】
【課題を解決するための手段】
上記した課題は、各請求項の発明によって解決される。
請求項１発明は、建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続構造であって、前記排水立て管として使用され、前記第１管継手と第２管継手との間に配管される構成の上部分割管を備えており、前記上部分割管は、前記コンクリートスラブの貫通孔に通された状態で、上部受け口の上端面がコンクリートスラブの床面にほぼ等しい高さになるように位置決めされており、前記上部分割管の上部受け口に前記第１管継手の下端部が挿入されることで、その上部分割管と前記第１管継手とが軸方向に相対距離調節可能な状態で接続され、前記コンクリートスラブの下側に突出した前記上部分割管の下端部が前記第２管継手に接続されていることを特徴とする。
【０００７】
本発明によると、コンクリートスラブの貫通孔には排水立て管として使用される上部分割管が通されており、その上部分割管の上部受け口と第１管継手とがコンクリートスラブの上面部分で接続される。また、上部分割管の下端部と第２管継手とがコンクリートスラブの下側で接続される。このため、コンクリートスラブの厚み寸法が様々であっても、その厚み寸法に合わせて上部分割管の長さ寸法を調整することにより、第１管継手及び第２管継手を高さ方向における適正位置に位置決めできるようになる。即ち、第１管継手を床上排水横枝管に対して適正な高さ位置に設置した状態で、第２管継手を天井裏排水横枝管に対して適正な高さ位置に設置できるようになる。このため、床上排水横枝管及び天井裏排水横枝管等を適正勾配で配管できるようになる。なお、上部分割管の長さ寸法の調整は、長めに製作した上部分割管の下端部をコンクリートスラブの厚み寸法に合わせて切断することにより、容易に行うことができる。
また、上部分割管と第１管継手が軸方向に相対距離調節可能な状態で接続されているため、第１管継手の高さ位置を微調整することが可能になる。
【０００８】
請求項２の発明によると、上部分割管の下端部が第２管継手の上部受け口に挿入されることで、その上部分割管と前記第２管継手とが軸方向に相対距離調節可能な状態で接続されている。このため、第２継手の高さ位置を微調整することが可能になり、天井裏排水横枝管が施工し易くなる。
請求項３発明によると、上部分割管に対して第１管継手及び／又は第２管継手が軸心回りに回動可能に構成されている。このため、横枝管受け口の向きを自由に変えることが可能になる。
なお、請求項４発明に示すように、上部分割管と第２管継手とを軸方向に相対距離調節不能かつ相対回転不能な状態に保持することも可能である。
【０００９】
請求項５の発明は、建物の上下方向に延びる雑排水、汚水兼用の排水立て管と、その建物の上階と下階とを仕切るコンクリートスラブの床上に配管され、第１管継手によって前記排水立て管に接続される床上排水横枝管とを備える排水設備の配管接続構造であって、上階のコンクリートスラブと下階のコンクリートスラブとの間に位置する排水立て管は、直列に接続された複数本の分割立て管から構成されており、最も上に位置する分割立て管である上部分割管は、前記上階のコンクリートスラブの貫通孔に通された状態で、上部受け口の上端面が前記コンクリートスラブの床面にほぼ等しい高さになるように位置決めされており、前記上部分割管の上部受け口に前記第１管継手の下端部が挿入されることで、その上部分割管と前記第１管継手とが軸方向に相対距離調節可能な状態で接続されていることを特徴とする。
【００１０】
請求項６の発明は、建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続方法であって、前記排水立て管を構成する上部分割管を前記コンクリートスラブの厚み寸法及び／又は天井裏排水横枝管の芯高さ寸法に合わせて裁断する工程と、前記排水立て管の上部分割管の下端部を軸方向に相対距離調節可能な状態で第２管継手の上部受け口に接続し、前記排水立て管を構成する分割立て管の一本を軸方向に相対距離調節可能な状態で第２管継手の下部受け口に接続する工程と、前記上部分割管をコンクリートスラブの貫通孔に通し、その上部分割管の上部受け口の上端面が上階の前記コンクリートスラブの床面とほぼ等しい高さになるように、かつ、前記第２管継手の横枝管受け口が天井裏排水横枝管を受けられる高さになるように位置決めした状態で、その第２管継手の下部受け口に接続された前記分割立て管を下階において既に設置済みの分割立て管と接続する工程と、前記上部分割管の上部受け口に上階の第１管継手の下端部を挿入して、その上部分割管と前記第１管継手とを軸方向に相対距離調節可能な状態で接続する工程とを有することを特徴とする。
このため、第１管継手及び第２管継手の高さ方向における位置決めが容易になり、床上排水横枝管や天井裏排水横枝管を適正勾配で配管できるようになる。
【００１１】
請求項７の発明は、建物の上下方向に延びる雑排水、汚水兼用の排水立て管と、その建物の上階と下階とを仕切るコンクリートスラブの床上に配管され、第１管継手によって前記排水立て管に接続される床上排水横枝管と、前記コンクリートスラブの下側に配管され、第２管継手によって前記排水立て管に接続される天井裏排水横枝管とを備える排水設備の配管接続方法であって、前記排水立て管を構成する上部分割管を前記コンクリートスラブの厚み寸法及び／又は天井裏排水横枝管の芯高さ寸法に合わせて裁断する工程と、前記排水立て管の上部分割管の下端部を軸方向に相対距離調節可能な状態で第２管継手の上部受け口に接続する工程と、前記上部分割管をコンクリートスラブの貫通孔に通し、その上部分割管の上部受け口の上端面が上階の前記コンクリートスラブの床面とほぼ等しい高さになるように、かつ、前記第２管継手の横枝管受け口が天井裏排水横枝管を受けられる高さになるように位置決めした状態で、その第２管継手の下部受け口を下階において既に設置済みの排水立て管の分割立て管に接続する工程と、前記上部分割管の上部受け口に上階の第１管継手の下端部を挿入して、その上部分割管と前記第１管継手とを軸方向に相対距離調節可能な状態で接続する工程とを有している。
【００１２】
【発明の実施の形態】
［実施形態１］
以下、図１から図８に基づいて本発明の実施形態１に係る排水設備の配管接続構造及び配管接続方法の説明を行う。本実施形態に係る排水設備の配管接続構造はマンション等の集合住宅における排水設備に使用されるものであり、図１にその側面図が示されている。また、図２は図１のＩＩ矢視拡大縦断面図、図３は図１のＩＩＩ矢視拡大縦断面図であり、図４は排水設備の配管接続方法を表す側面図である。図５は排水設備の完成状態を表す側面図である。また、図６は排水設備の完成状態を表す模式図（Ａ図）、排水設備の配管接続方法を表す模式図（Ｂ図、Ｃ図）である。
【００１３】
マンション等の集合住宅は、図１、図５に示すように、上階Ａと下階ＢとがコンクリートスラブＣＳによって仕切られており、そのコンクリートスラブＣＳに排水設備１０の排水立て管１２が通される貫通孔Ｈが形成されている。
排水設備１０は、集合住宅の上下方向に延びる雑排水、汚水兼用の排水立て管１２と、その集合住宅の各階毎に設けられた各種の排水横枝管１４，１５，１６と、それらの排水横枝管１４，１５，１６を排水立て管１２に接続するための各種の管継手２０，３０とから構成されている。
【００１４】
コンクリートスラブＣＳの床上（コンクリートスラブＣＳの上側）には、台所や洗面所の雑排水を排水立て管１２まで導く第１床上排水横枝管１４と、トイレからの汚水を排水立て管１２まで導く第２床上排水横枝管１５とが配管されている。第１床上排水横枝管１４と第２床上排水横枝管１５とは、第１管継手２０によって排水立て管１２に接続されている。
コンクリートスラブＣＳの下側で下階の天井板Ｔの上方には、浴室（浴槽及び洗い場）からの雑排水を排水立て管１２まで導く天井裏排水横枝管１６が配管されている。天井裏排水横枝管１６は、第２管継手３０によって排水立て管１２に接続されている。
【００１５】
排水立て管１２は、図５等に示すように、直管状の分割立て管１２ｍと、上部受け口１２ｕを備える上部分割管１２ｓとから構成されている。分割立て管１２ｍは、コンクリートスラブＣＳの床上に設置された第１管継手２０の上部受け口２２と天井板Ｔの上方に配置される第２管継手３０の下部受け口３６との間で使用される。分割立て管１２ｍは、図５に示すように、通常、二本一組で使用され、掃除口付きの直管継手５０によって接続される。このため、リフォーム時に分割立て管１２ｍを室内に搬入し易くなるとともに、施工後、掃除口付きの直管継手５０を利用して管内の洗浄や管内の汚れを確認し易くなる。なお、二本の分割立て管１２ｍを掃除口付きの直管継手５０の代わりに通常の直管継手（掃除口無し）あるいはソケット等で接続することも可能である。
上部分割管１２ｓは、コンクリートスラブＣＳの貫通孔Ｈに通される短管であり、第２管継手３０の上部受け口３２と上階Ａの第１管継手２０の下端部２７との間で使用される。
【００１６】
第１管継手２０は、例えば、鋳鉄製であり、図１等に示すように、略筒状の胴部２１を備えている。胴部２１の上端部には、分割立て管１２ｍの下端部が接続される上部受け口２２が形成されている。上部受け口２２は、図２に示すように、その先端（上端）にリング状の内フランジ２２ｆを備えており、その内フランジ２２ｆの下側にリング状溝２２ｍが形成されている。
上部受け口２２には、シール材２８が装着されている。シール材２８は、上部受け口２２の内壁面をほぼ全体的に覆う筒部２８ｔと、その筒部２８ｔの上部内周に形成されたシール本体部２８ｘとから構成されている。シール本体部２８ｘは、上部受け口２２と排水立て管１２ｍとの間をシールする部分であり、断面略楔形をしたリング状襞が上部受け口２２の下側（奥側）に傾斜した状態で形成されている。
【００１７】
シール材２８の筒部２８ｔの上部外周には、フランジ部２８ｓが形成されており、そのフランジ部２８ｓが上部受け口２２のリング状溝２２ｍに嵌め込まれている。また、筒部２８ｔの下部内周には、排水立て管１２の先端（下端）を受けるリング状の受け部２８ｒが形成されており、その受け部２８ｒが胴部２１の内周面に突出形成されたリング状の段差部２１ｄによって下方から支持されるようになっている。
このため、第１管継手２０の上部受け口２２に排水立て管１２（分割立て管１２ｍ）の下端部が挿入されることにより、その上部受け口２２と分割立て管１２ｍとはシール材２８によりシールされた状態で接続される。即ち、第１管継手２０の上部受け口２２と分割立て管１２ｍとは軸方向に相対距離調節可能及び軸心回りに相対回転可能な状態で接続される。
【００１８】
第１管継手２０の胴部２１の上部側面には、図１等に示すように、汚水用の第２床上排水横枝管１５が接続される上部横枝管受け口２３が形成されている。また、胴部２１の下部側面には、上部横枝管受け口２３から約９０°回転した位置に雑排水用の第１床上排水横枝管１４が接続される下部横枝管受け口２４が形成されている。上部横枝管受け口２３及び下部横枝管受け口２４は、上部受け口２２と実質的に同じ構造で製作されているため、説明は省略する。
第１管継手２０の胴部２１は、第２床上排水横枝管１５から勢いよく流入する汚水によってその胴部２１の内部空間が閉鎖されないように、分割立て管１２ｍよりも十分大径に形成されている。このため、横方向から汚水が勢いよく流れ込んでいるときでも、第１管継手２０の胴部２１内では上下間で通気が確保され、管内の圧力変動が緩和される。
【００１９】
第１管継手２０の胴部２１の下側には絞り部２６が形成されており、その絞り部２６の下側に排水立て管１２と等しい外径寸法の下端部２７が形成されている。そして、第１管継手２０の下端部２７が上部分割管１２ｓの上部受け口１２ｕに挿入接続されている。
上部分割管１２ｓは、図３に示すように、直管部１２ｘと前述の上部受け口１２ｕとから構成されており、その直管部１２ｘの先端（下端）がコンクリートスラブＣＳの厚み寸法に合わせて切断された状態で使用される。そして、上部分割管１２ｓの直管部１２ｘの下端が第２管継手３０の上部受け口３２に挿入接続される。なお、上部分割管１２ｓの上部受け口１２ｕの構造は実質的に第１管継手２０の上部受け口２２と同じであるため、説明を省略する。
【００２０】
第２管継手３０は、上部受け口３２、横枝管受け口３４及び下部受け口３６を供えるＴ型管継手であり、各受け口３２，３４，３６は実質的に等しい構造で形成されている。このため、図３に基づき上部受け口３２の構造を代表して説明する。
上部受け口３２にはフランジ継手４０が設けられている。フランジ継手４０は、図３に示すように、上部受け口３２の上端部に形成された第１フランジ板４２と、第２フランジ板４３と、シール材４５等とから構成されている。
第２フランジ板４３は、第１フランジ板４２と等しい径寸法で製作されており、ボルト４７とナット４８とによって第１フランジ板４２に対して同心状態で連結される。また、第１フランジ板４２と第２フランジ板４３との間には、上部分割管１２ｓの直管部１２ｘが通されるリング状のシール材４５が同心状態で挟まれている。
【００２１】
このため、上部受け口３２に上部分割管１２ｓの直管部１２ｘが挿入された状態で、ボルト４７とナット４８とが締め付けられると、第１フランジ板４２と第２フランジ板４３との間でシール材４５が主として半径方向内側に弾性変形する。これによって、上部分割管１２ｓの直管部１２ｘがシール材４５によって周囲から締め付けられ、上部受け口３２と上部分割管１２ｓとの間がそのシール材４５によってシールされる。即ち、上部分割管１２ｓの直管部１２ｘと第２管継手３０の上部受け口３２とは軸方向に相対距離調節可能及び軸心回りに相対回転可能な状態で接続される。
なお、天井裏排水横枝管１６と横枝管受け口３４との接続、及び分割立て管１２ｍと下部受け口３６との接続も同様な方法で行われる。
【００２２】
次に、図４及び図５に基づいて、排水設備の配管接続方法の説明を行う。
なお、図４（Ｂ）に示すように、既に、下階Ｂの第１管継手２０が設置されており、その第１管継手２０の上下の横枝管受け口２３，２４に、それぞれ汚水用の第２床上排水横枝管１５と雑排水用の第１床上排水横枝管１４とが接続されているものとする。
先ず、図４（Ａ）に示すように、コンクリートスラブＣＳの厚み寸法に合わせて長さ寸法が調整された上部分割管１２ｓと、下階Ｂの第１管継手２０及び第２管継手３０の高さ位置に合わせて長さ寸法が調整された上側の分割立て管１２ｍと下側の分割立て管１２ｍとが準備される。
【００２３】
次に、図４（Ｂ）に示すように、下階Ｂの第１管継手２０の上部受け口２２に下側の分割立て管１２ｍの下端部が挿入される。これによって、第１管継手２０の上部受け口２２と分割立て管１２ｍとの間が、図２に示すように、シール材２８によってシールされ、その上部受け口２２と分割立て管１２ｍとが接続される。次に、分割立て管１２ｍの上端部に直管継手５０の下部が接続される。分割立て管１２ｍと直管継手５０の下部との接続構造は、図３に示すように、フランジ継手４０を使用した接続構造であり、ボルト４７とナット４８とを締め付けることで、分割立て管１２ｍと直管継手５０の下部受け口との間がシール材４５によってシールされる。このため、分割立て管１２ｍと直管継手５０とは軸方向に相対距離調節可能及び軸心回りに相対回転可能な状態で接続される。
【００２４】
次に、図４（Ｂ）に示すように、上側の分割立て管１２ｍの上端部が第２管継手３０の下部受け口３６に挿入され、フランジ継手４０によって軸方向に相対距離調節可能及び軸心回りに相対回転可能な状態で接続される。また、第２管継手３０の上部受け口３２に上部分割管１２ｓの直管部１２ｘが図３に示すように挿入され、同じくフランジ継手４０によって軸方向に相対距離調節可能及び軸心回りに相対回転可能な状態で接続される。
次に、図４（Ｂ）、図６（Ｂ）に示すように、上部分割管１２ｓがコンクリートスラブＣＳの貫通孔Ｈに通された後、上側の分割立て管１２ｍの下端部が直管継手５０の上部に接続される。分割立て管１２ｍと直管継手５０の上部との接続構造も、図３に示すように、フランジ継手４０を使用した接続構造であるため、分割立て管１２ｍと直管継手５０とは軸方向に相対距離調節可能及び軸心回りに相対回転可能な状態で接続される。このとき、上部分割管１２ｓの上部受け口１２ｕの上端面がコンクリートスラブＣＳの床面とほぼ等しい高さ位置になるように、また、第２管継手３０の横枝管受け口３４がコンクリートスラブＣＳの下面と天井板Ｔとの間の所定高さ位置に配置されるように、分割立て管１２ｍは直管継手５０に接続される。
なお、図６（Ｃ）に示すように、上側の分割立て管１２ｍの下端部を直管継手５０の上部に接続した後、上部分割管１２ｓをコンクリートスラブＣＳの貫通孔Ｈに通し、第２管継手３０の下部受け口３６を上側の分割立て管１２ｍに接続する方法も可能である。
【００２５】
次に、浴室（浴槽及び洗い場）からの雑排水を導く天井裏排水横枝管１６が所定の下り勾配で配管され、その天井裏排水横枝管１６の下流端が第２管継手３０の横枝管受け口３４に挿入接続される。前述のように、第２管継手３０は上部分割管１２ｓ及び分割立て管１２ｍに対して軸方向に距離調節可能及び軸心回りに回転可能なため、天井裏排水横枝管１６に対して第２管継手３０の横枝管受け口３４を高さ方向及び円周方向に微調整することが可能である。
次に、上部分割管１２ｓの上部受け口１２ｕに上階Ａの第１管継手２０の下端部２７が挿入されて、その第１管継手２０が上部受け口１２ｕに接続される。この状態で、第１管継手２０の下部横枝管受け口２４がコンクリートスラブＣＳの床面に当接するようになる。なお、振動吸収の観点から第１管継手２０の下部横枝管受け口２４とコンクリートスラブＣＳの床面との間に耐火性、防水性を有する弾性体を介在させるのが好ましい。
【００２６】
次に、台所及び洗面所からの雑排水を導く第１床上排水横枝管１４が所定の下り勾配で配管され、その第１床上排水横枝管１４の下流端が第１管継手２０の下部横枝管受け口２４に挿入接続される。また、トイレからの汚水を導く第２床上排水横枝管１５が所定の下り勾配で配管され、その第２床上排水横枝管１５の下流端が第１管継手２０の上部横枝管受け口２３に挿入接続される。なお、第１管継手２０は上部分割管１２ｓの上部受け口１２ｕに対して軸方向に距離調節可能及び軸心回りに回転可能なため、第１床上排水横枝管１４及び第２床上排水横枝管１５に対して第１管継手２０の横枝管受け口２３，２４を高さ方向及び円周方向に微調整することが可能である。
以後、上記した手順が繰り返し実行されることで、排水設備が完成する。
【００２７】
このように、本実施形態に係る排水設備の配管接続構造によると、コンクリートスラブＣＳの貫通孔Ｈには排水立て管１２として使用される上部分割管１２ｓが通されており、その上部分割管１２ｓの上部受け口１２ｕと第１管継手２０とがコンクリートスラブＣＳの床面部分で接続される。また、上部分割管１２ｓの直管部１２ｘ（下端部）と第２管継手３０とがコンクリートスラブＣＳの下側で接続される。このため、コンクリートスラブＣＳの厚み寸法が様々であっても、その厚み寸法に合わせて上部分割管１２ｓの長さ寸法を調整することにより、第１管継手２０及び第２管継手３０を高さ方向における適正位置に位置決めできるようになる。即ち、第１管継手２０を床上排水横枝管１４，１５に対して適正な高さ位置に設置した状態で、第２管継手３０を天井裏排水横枝管１６に対して適正な高さ位置に設置できるようになる。このため、床上排水横枝管１４，１５及び天井裏排水横枝管１６を適正勾配で配管できるようになる。なお、上部分割管１２ｓの長さ寸法の調整は、長めに作成した上部分割管１２ｓの直管部１２ｘ（下端部）をコンクリートスラブＣＳの厚み寸法に合わせて切断することにより、容易に行うことができる。
【００２８】
また、上部分割管１２ｓに対して第１管継手２０及び第２管継手３０が軸心回りに回動可能に構成されているため、横枝管受け口２３，２４，３４の向きを自由に変えることが可能になる。
ここで、排水立て管１２は鋳鉄製であっても良いし、鋼管であっても良い。また、樹脂製であっても良し、樹脂管の回りを耐火繊維モルタル製の外管で覆った耐火二層管であっても良い。
【００２９】
なお、本実施形態では、第２管継手３０に対して上部分割管１２ｓ及び上側の分割立て管１２ｍを軸方向に相対距離調節可能及び軸心回りに相対回転可能な状態で接続する例を示したが、図７の模式図に示すように、第２管継手３０に対して上部分割管１２ｓ及び上側の分割立て管１２ｍを固定することも可能である。また、上部分割管１２ｓ、第２管継手３０及び上側の分割立て管１２ｍを一体型とすることも可能である。また、上側の分割立て管１２ｍと下側の分割立て管１２ｍとを直管継手５０で接続する例を示したが、図７に示すように、下側の分割立て管１２ｍの上部に受け口を設け、その受け口に上側の分割立て管１２ｍの下端部を挿入接続することも可能である。
【００３０】
また、本実施形態では、第２管継手３０を有する排水設備を例に説明したが、図８の模式図に示すように、第２管継手３０を有しない排水設備においては上部分割管１２ｓを省略し、上側の分割立て管１２ｍに上部受け口を設け、その上部受け口の上端面をコンクリートスラブＣＳの床面に合わせるように施工することも可能である。この場合、上側の分割立て管１２ｍの下端部は下側の分割立て管１２ｍの上部受け口に挿入されることで、両立て管１２ｍは接続される。
なお、本実施形態ではマンション等の集合住宅における排水設備の配管接続構造について説明したが、本発明をオフィスビル等の排水設備における配管接続構造に適用することも可能である。
【００３１】
【発明の効果】
本発明によると、第１管継手及び第２管継手の高さ方向における位置決めが容易になり、床上排水横枝管や天井裏排水横枝管を適正勾配で配管できるようになる。
【図面の簡単な説明】
【図１】本発明の実施形態１に係る排水設備の配管接続構造を表す模式側面図である。
【図２】図１のＩＩ矢視拡大縦断面図である。
【図３】図１のＩＩＩ矢視拡大縦断面図である。
【図４】本発明の実施形態１に係る排水設備の配管接続方法を表す模式側面図である。
【図５】排水設備の完成状態を表す側面図である。
【図６】排水設備の完成状態を表す模式図（Ａ図）、排水設備の配管接続方法を表す模式図（Ｂ図、Ｃ図）である。
【図７】排水設備の配管接続構造の変更例を表す模式図である。
【図８】排水設備の配管接続構造の変更例を表す模式図である。
【図９】従来の排水設備の配管接続構造を表す側面図である。
【図１０】従来の排水設備の配管接続構造を表す側面図である。
【符号の説明】
ＣＳ    コンクリートスラブ
Ｈ    貫通孔
１２      排水立て管
１２ｓ    上部分割管
１２ｍ    分割立て管
１２ｘ    直管部（下端部）
１２ｕ    上部受け口
１４      第１床上排水横枝管
１５      第２床上排水横枝管
１６      天井裏排水横枝管
２０      第１管継手
２７      下端部
３０      第２管継手
３２      上部受け口
【図１】
2005023675.tif 000003
【図２】
2005023675.tif 000004
【図３】
2005023675.tif 000005
【図４】
2005023675.tif 000006
【図５】
2005023675.tif 000007
【図６】
2005023675.tif 000008
【図７】
2005023675.tif 000009
【図８】
2005023675.tif 000010
【図９】
2005023675.tif 000011
【図１０】
2005023675.tif 000012